(57)【要約】データメッセージによって変調される擬似ランダムノイズ（ＰＲＮ）コードシーケンスを含む対象のスペクトラム拡散信号を拡散させない方法が開示されている。この方法は、少なくとも１つのデータビットのエポックのタイミングに関するデータメッセージ情報を与えるステップと；データメッセージ情報を使用して、ターゲット信号と、対応するＰＲＮコードシーケンスを含むレプリカ信号とを相関させ、データメッセージによる変調に起因するターゲット信号のＰＲＮコードシーケンスの変化によって生じる相関関係の低下を最小限に抑えるステップとを備えている。データビットのエポックにわたって連続する相関関係を実質的に回避するように、相関関係のタイミングが合わせられても良い。また、データメッセージ情報がビット情報を更に備え、データメッセージ情報に応じて相関関係が変更されても良い。特に、ターゲット信号のＰＲＮコードシーケンスのデータビット変調は、排他的論理和変調と同一もしくは等価であり、レプリカ信号のＰＲＮコードシーケンスの極性が選択的に逆転されても良い。
2004512703.tif 000002
【特許請求の範囲】
【請求項１】
データメッセージによって変調される擬似ランダムノイズ（ＰＲＮ）コードシーケンスを含む対象のスペクトラム拡散信号を拡散させない方法であって、
ターゲット信号の少なくとも１つのデータビットのエポックのタイミングに関するデータメッセージ情報を与えるステップと、
データメッセージ情報を使用して、ターゲット信号と、対応するＰＲＮコードシーケンスを含むレプリカ信号とを相関させ、データメッセージによる変調に起因するターゲット信号のＰＲＮコードシーケンスの変化によって生じる相関関係の低下を最小限に抑えるステップと、を備えている方法。
【請求項２】
データビットのエポックにわたって連続する相関関係を実質的に回避するように、相関関係のタイミングが合わせられる請求項１に記載の方法。
【請求項３】
占有率がデータビット幅の８０％を上回り且つ１００％を下回るように、相関関係のタイミングが合わせられる請求項２に記載の方法。
【請求項４】
個々の連続する一連の相関関係のために戻された相関値の合計の関数として相関出力が与えられる請求項２または３に記載の方法。
【請求項５】
データメッセージ情報は、少なくとも一部のデータメッセージに関するデータビット情報を更に備え、データメッセージ情報の関数として相関関係が変更される請求項１に記載の方法。
【請求項６】
連続する相関関係は、データビットのエポックが、異なる極性の別個のデータビットを発生する時間にわたって生じる請求項５に記載の方法。
【請求項７】
連続する相関関係は、１つのデータビットの送信時間よりも長い時間にわたって生じる請求項５または６に記載の方法。
【請求項８】
連続する相関関係は、１つのデータビットの送信時間の１０倍を越える時間にわたって生じる請求項７に記載の方法。
【請求項９】
連続する相関関係は、１つのデータビットの送信時間の５０倍を越える時間にわたって生じる請求項８に記載の方法。
【請求項１０】
ターゲット信号のＰＲＮコードシーケンスのデータビット変調は、排他的論理和変調と同一もしくは等価であり、レプリカ信号のＰＲＮコードシーケンスの極性は、データメッセージ情報に応じて選択的に反転される請求項５から９のいずれか一項に記載の方法。
【請求項１１】
対象のスペクトラム拡散信号の擬似ランダムノイズ（ＰＲＮ）コードシーケンスは、その少なくとも一部が循環的に繰り返されるデータメッセージによって変調され、データビット情報の少なくとも幾つかは、先のデータメッセージに基づいて予測される請求項１から１０のいずれか一項に記載の方法。
【請求項１２】
先のデータメッセージに基づくデータビット情報は、１つのメッセージから次のメッセージまで実質的に一定である請求項１１に記載の方法。
【請求項１３】
誤っている可能性があるデータビット情報の識別時に、データビット情報の他の起こり得る構築に基づいて、代わりの相関関係がとられる請求項１２に記載の方法。
【請求項１４】
Ｖｉｔｅｒｂｉアルゴリズムを使用して、最も起こりやすいデータビットシーケンスを形成する請求項１３に記載の方法。
【請求項１５】
誤っている可能性があるデータビット情報の識別時に、相関関係は、データエポックにわたる連続する相関関係から、データエポック間でタイミングがとられる個々の相関関係の係数の合計へと戻る請求項１４に記載の方法。
【請求項１６】
ターゲット信号は、ＧＰＳ信号であり、モバイルユニットによって受けられ、データメッセージ情報は、既にモバイルユニットで受信されて取得された他のＧＰＳスペクトラム拡散信号（以下、基準信号という）から与えられる請求項１から１５のいずれか一項に記載の方法。
【請求項１７】
ターゲット信号の少なくとも１つのデータビットのエポックのタイミングに関するデータメッセージ情報は、基準信号の少なくとも１つのデータビットのエポックのタイミングから得られる請求項１６に記載の方法。
【請求項１８】
ターゲット信号の少なくとも１つのデータビットのエポックのタイミングに関するデータメッセージ情報は、ＧＰＳ天文歴データを使用して、基準信号の少なくとも１つのデータビットのエポックのタイミングから得られる請求項１７に記載の方法。
【請求項１９】
ターゲット信号の取得を試みている間の各コードチェック毎のドウェル（ｄｗｅｌｌ）時間は、基準信号を取得するために先に使用したドウェル時間よりも長い請求項１６から１８のいずれか一項に記載の方法。
【請求項２０】
データメッセージ情報は、基準信号の対応するデータビット情報から得られるターゲット信号のデータメッセージの少なくとも一部に関するデータビット情報を更に備えている請求項１６から１９のいずれか一項に記載の方法。
【請求項２１】
ターゲット信号がモバイルユニットによって受信され、データメッセージ情報が基地局で与えられる請求項１から１５のいずれか一項に記載の方法。
【請求項２２】
基地局が送信機を備え、モバイルユニットが基地局と通信するようになっている受信機を備え、これにより、データメッセージ情報が基地局からモバイルユニットへと送信され、モバイルユニット内で相関関係がとられる請求項２１に記載の方法。
【請求項２３】
予測されたデータビット情報は、ターゲット信号のデータメッセージの対応する部分をモバイルユニットが受ける前に、モバイルユニットに送られる請求項２２に記載の方法。
【請求項２４】
基地局およびモバイルユニットはそれぞれ、互いに２方向通信を行なうようになっている受信機および送信機を備え、ターゲット信号がＧＰＳ信号であり、モバイルユニットの位置に関する位置情報がモバイルユニットから基地局へと送られる請求項２２または２３に記載の方法。
【請求項２５】
モバイルユニットが携帯電話であり、基地局は、携帯電話ネットワークで使用され且つ地理的な場所にそれぞれ位置されることにより１または複数の領域を構成する複数の重なり合う対応するサービスエリアを形成する複数の基地局のうちの１つである請求項２４に記載の方法。
【請求項２６】
基地局が受信機を備え、モバイルユニットは、基地局と通信するようになっている送信機を備え、モバイルユニットによって受けられたターゲット信号が基地局に送られる請求項２１に記載の方法。
【請求項２７】
基地局で相関関係がとられる請求項２６に記載の方法。
【請求項２８】
添付図面に関して記載された前述のデータメッセージによって変調された擬似ランダムノイズ（ＰＲＮ）コードシーケンスを含む対象のスペクトラム拡散信号を拡散させない方法。
【請求項２９】
請求項１６から２０および請求項２２から２５のいずれか一項に記載の方法によってスペクトラム拡散信号を拡散させないモバイルユニット。
【請求項３０】
データメッセージによって変調される擬似ランダムノイズ（ＰＲＮ）コードシーケンスを含む対象のスペクトラム拡散信号と、少なくとも１つのデータビットのエポックのタイミングに関するデータメッセージ情報を含む信号とを受ける受信機と、ターゲット信号のＰＲＮコードシーケンスに対応するＰＲＮコードシーケンスを含むレプリカ信号を形成するとともに、ターゲット信号とレプリカ信号とを相関させるプロセッサとを備え、データメッセージによる変調に起因するターゲット信号のＰＲＮコードシーケンスの変化によって生じる相関関係の低下を抑えるために、データメッセージ情報が使用されるモバイルユニット。
【請求項３１】
データビットのエポックにわたって連続する相関関係を実質的に回避するように、相関関係のタイミングが合わせられる請求項３０に記載のモバイルユニット。
【請求項３２】
個々の連続する一連の相関関係のために戻された相関値の合計の関数として相関出力が与えられる請求項３１に記載のモバイルユニット。
【請求項３３】
データメッセージ情報は、少なくとも一部のデータメッセージに関するデータビット情報を更に備え、データメッセージ情報の関数として相関関係が変更される請求項３０に記載のモバイルユニット。
【請求項３４】
連続する相関関係は、データビットのエポックが異なる極性の別個のデータビットを発生する時間にわたって生じる請求項３３に記載のモバイルユニット。
【請求項３５】
ターゲット信号のＰＲＮコードシーケンスのデータビット変調は、排他的論理和変調と同一もしくは等価であり、レプリカ信号のＰＲＮコードシーケンスの極性は、データメッセージ情報に応じて選択的に逆転される請求項３３または３４に記載のモバイルユニット。
【請求項３６】
データメッセージ情報は、既にモバイルユニットで受信されて取得された他のスペクトラム拡散信号（以下、基準信号という）から与えられる請求項３０から３５のいずれか一項に記載のモバイルユニット。
【請求項３７】
ターゲット信号の少なくとも１つのデータビットのエポックのタイミングに関するデータメッセージ情報は、基準信号の少なくとも１つのデータビットのエポックのタイミングから得られる請求項３６に記載のモバイルユニット。
【請求項３８】
ターゲット信号がＧＰＳ信号であり、ターゲット信号の少なくとも１つのデータビットのエポックのタイミングに関するデータメッセージ情報は、ＧＰＳ天文歴データおよび基準信号の少なくとも１つのデータビットのエポックのタイミングから得られる、ＧＰＳ受信機の形態を成す請求項３７に記載のモバイルユニット。
【請求項３９】
ターゲット信号の取得を試みている間の各コードチェック毎のドウェル時間は、基準信号を取得するために先に使用したドウェル時間よりも長い請求項３６から３８のいずれか一項に記載のモバイルユニット。
【請求項４０】
データメッセージ情報は、基準信号の対応するデータビット情報から得られるターゲット信号のデータメッセージの少なくとも一部に関するデータビット情報を更に備えている請求項３６から３９のいずれか一項に記載のモバイルユニット。
【請求項４１】
携帯電話ネットワークと共に使用でき且つＧＰＳ受信機を備えた携帯電話の形態を成し、データメッセージ情報を含む信号が携帯電話ネットワークの基地局から与えられる請求項３０から３５のいずれか一項に記載のモバイルユニット。
【請求項４２】
添付図面に関して記載された前述のデータメッセージによって変調された擬似ランダムノイズ（ＰＲＮ）コードシーケンスを含む対象のスペクトラム拡散信号を拡散させないモバイルユニット。
【請求項４３】
請求項２７に記載の方法によってスペクトラム拡散信号を拡散させない基地局。
【請求項４４】
データメッセージによって変調される擬似ランダムノイズ（ＰＲＮ）コードシーケンスを含む対象のスペクトラム拡散信号をモバイルユニットから受けるための受信機と、データメッセージ情報を与える手段と、ターゲット信号のＰＲＮコードシーケンスに対応するＰＲＮコードシーケンスを含むレプリカ信号を形成するとともに、ターゲット信号とレプリカ信号とを相関させるプロセッサとを備え、データメッセージによる変調に起因するターゲット信号のＰＲＮコードシーケンスの変化によって生じる相関関係の低下を抑えるために、データメッセージ情報が使用される基地局。
【請求項４５】
データビットのエポックにわたって連続する相関関係を実質的に回避するように、相関関係のタイミングが合わせられる請求項４４に記載の基地局。
【請求項４６】
個々の連続する一連の相関関係のために戻された相関値の合計に応じて相関出力が与えられる請求項４５に記載の基地局。
【請求項４７】
データメッセージ情報は、少なくとも一部のデータメッセージに関するデータビット情報を更に備え、データメッセージ情報に応じて相関関係が変更される請求項４４に記載の基地局。
【請求項４８】
連続する相関関係は、データビットのエポックが異なる極性の別個のデータビットを発生する時間にわたって生じる請求項４７に記載の基地局。
【請求項４９】
ターゲット信号のＰＲＮコードシーケンスのデータビット変調は、排他的論理和変調と同一もしくは等価であり、レプリカ信号のＰＲＮコードシーケンスの極性は、データメッセージ情報に応じて選択的に逆転される請求項４７または４８に記載の基地局。
【請求項５０】
添付図面に関して記載された前述のデータメッセージによって変調された擬似ランダムノイズ（ＰＲＮ）コードシーケンスを含む対象のスペクトラム拡散信号を拡散させない基地局。
【請求項５１】
請求項３０から３５のいずれか一項に記載のモバイルユニットおよび基地局との組み合わせであって、ターゲット信号がモバイルユニットによって受信され、データメッセージ情報が基地局で与えられる組み合わせ。
【請求項５２】
請求項４４から５０のいずれか一項に記載の基地局とモバイルユニットとの組み合わせ。
【請求項５３】
添付図面に関して記載された前述のデータメッセージによって変調された擬似ランダムノイズ（ＰＲＮ）コードシーケンスを含む対象のスペクトラム拡散信号を拡散させないモバイルユニットと基地局との組み合わせ。
【発明の詳細な説明】
【０００１】
本発明は、データメッセージによって変調される擬似ランダムノイズ（ＰＲＮ）コードシーケンスを含むスペクトラム拡散信号を拡散させない方法、および、そのためのモバイルユニット、基地局、モバイルユニットと基地局との組み合わせに関する。
【０００２】
特に、本発明は、これに限らないが、携帯電話ネットワークで使用でき且つグローバル・ポジショニング・システム（ＧＰＳ）受信機を備える携帯電話に関する。この場合、携帯電話ネットワークのオペレータは、緊急呼び出しがなされている場所を携帯電話から判断することができる。
【０００３】
レプリカＧＰＳ衛星擬似ランダムノイズ（ＰＲＮ）コード信号が連続形成され且つその取得のために受けたＧＰＳ信号と相関されるＧＰＳ受信機を設けることは良く知られている。一般に、レプリカコードは、受けたＧＰＳ信号のコード位相と異なるコード位相、および、受信機と周回軌道衛星との間のドップラー偏移に起因する異なる周波数を有している可能性が高いため、二次元コード周波数／位相走査が使用され、これにより、そのような走査は、結果として、局所的に形成されたレプリカの周波数およびコード位相と同じ周波数およびコード位相を有する入力ＰＲＮコードとなる。検出される場合には、このコードが取得されて探知され、また、擬似範囲情報が検索され、この情報から、従来のナビゲーションアルゴリズムを使用して受信機の位置が計算されても良い。
【０００４】
電話呼び出しの位置、特に緊急サービスへの緊急呼び出しを行なっている位置を携帯電話ネットワークのオペレータが判断することができるように、そのようなＧＰＳ受信機を組み込んだ携帯電話を提供することも知られている。無論、緊急呼び出しの場合、呼び出し位置をできる限り早く得られることが望ましいが、ＧＰＳ受信機が最新の天文暦データにアクセスできないような「コールド・スタート」から、あるいは、さらに悪くはＧＰＳ受信機が最新の暦を有していないような「ファクトリー・コールド・スタート」から、最初の定置までの時間（ＴＴＦＦ）は、３０秒から５分までの間のどこかにあり得る。
【０００５】
ＴＴＦＦを短くするために、ＧＰＳ受信機には、更に迅速にＧＰＳ信号を取得するべく、基地局支援が設けられていても良い。そのような支援は、精密な搬送周波数基準信号を基地局によって受信機に供給して、ＧＰＳ受信機で使用される局部発振器を較正すること；対象としている視野内の衛星におけるドップラー偏移を判断することができる最新の衛星暦および天文暦データに関するデータメッセージ；現在のＰＲＮコード位相；を含んでいても良い。そのような支援を用いると、対象のＰＲＮコードが占めることが知られている狭い範囲の周波数およびコード位相だけを走査することができ、これにより、チェックする必要があるコード例の数を減らすことができ、したがって、コード取得時間を短くすることができる。基地局支援は、さらに、参照することによって本願に組み込まれる米国特許第５８４１３９６号および米国特許第５８７４９１４号にも記載されている。
【０００６】
チェックに必要なコード例の数を実質的に減らすことにより、取得の全時間にわたって著しい影響を与えることなく、各チェック毎のドウェル時間を長くすることができる。この利点は、ドウェル時間が長くなることによって、弱いＧＰＳ信号の所得の可能性が高まるという点である。例えば、コード例が１つの場合、５回のＰＲＮコードの繰り返し（Ｃ／Ａモード）に相当する５ｍｓにわたって相関がとられても良い。しかしながら、残念なことに、非常に弱い信号を取得するために、ドウェル時間をいつまでも長くすることだけはできない。米国特許第５８７４９４１号の第１１欄の５１行目から５９行目に言及されているように、ＧＰＳ信号に重ね合わされる５０ボーデータ（Ｃ／Ａモード）の存在によって、コヒーレントなＰＲＮコードの合計が２０回のＰＲＮコードの繰り返しに相当する２０ｍｓ（データビット幅）に制限される。したがって、非常に弱いＧＰＳ信号を取得するためには、２０ｍｓよりも短い多くの個々の相関関係を合計することが必要である。例えば、米国特許第５８７４９１４号に開示されているように、個々の１０ｍｓの相関時間に値する１００ｍｓから１ｓが合計されても良い。
【０００７】
ナビゲーションデータビット情報およびコード位相情報を与えることは、テレコム・インダストリ・アソシエーションの“デュアルモードスペクトラム拡散信号におけるＴＲ４５位置測定サービス基準”の４頁から２８頁、１９９９年１０月１５日に発行された文献ＴＩＡ／ＥＩＡ／ＩＳ−８０１の４頁から３８頁にも開示されている。
【０００８】
本発明の目的は、弱いスペクトラム拡散信号を取得する可能性を高める改良された相関方法を提供することである。
【０００９】
本発明によれば、データメッセージによって変調される擬似ランダムノイズ（ＰＲＮ）コードシーケンスを含む対象のスペクトラム拡散信号を拡散させない方法であって、少なくとも１つのデータビットのエポックのタイミングに関するデータメッセージ情報を与えるステップと、データメッセージ情報を使用して、ターゲット信号と、対応するＰＲＮコードシーケンスを含むレプリカ信号とを相関させ、データメッセージによる変調に起因するターゲット信号のＰＲＮコードシーケンスの変化によって生じる相関関係の低下を最小限に抑えるステップとを備えている方法が提供される。
【００１０】
本発明は、従来技術で示唆されているように、データビットのエポックが異なる極性の別個のデータビットを生起する時間にわたって連続する相関関係の低下が避けられない認識に基づいている。
【００１１】
１つの方法として、データビットのエポックにわたって連続する相関関係を実質的に回避するように、例えば、データビットエポック間で占有率がデータビット幅の８０％を上回り且つ１００％を下回るように、相関関係のタイミングが合わせられても良い。弱い信号を取得するために、そのような個々の連続する一連の相関関係のために戻された相関値の合計に応じて相関出力が与えられても良い。この方法を使用すれば、前述した相関関係の低下が抑えられることを確実にしつつ、データビット幅の実質的に全体にわたって、ＮＡＶＳＴＡＲ　Ｃ／Ａモードで、複数の相関をそれぞれ例えば２０ｍｓずつとることができる。
【００１２】
また、データメッセージ情報は、少なくとも一部のデータメッセージに関するデータビット情報を更に備え、データメッセージ情報に応じて相関関係が変更されても良い。この場合、連続する相関関係は、データビットのエポックが異なる極性の別個のデータビットを生起する時間にわたって、すなわち、１つのデータビットの送信時間よりも長い時間にわたって、つまり、１つのデータビットの送信時間の１０倍または５０倍を越える時間にわたって、生じても良い。
【００１３】
ターゲット信号のＰＲＮコードシーケンスのデータビット変調は、排他的論理和変調と同一もしくは等価であり、レプリカ信号のＰＲＮコードシーケンスの極性は、データメッセージ情報に応じて選択的に逆転されても良い。
【００１４】
例えば、ＮＡＶＳＴＡＲ　ＧＰＳにおいては、キャリア変調前に排他的論理和プロセスを使用して、Ｃ／Ａコードと５０Ｈｚのデータメッセージとが組み合される。また、排他的論理和プロセスは二相性シフトキー（ＢＰＳＫ）変調プロセスに相当し、したがって、データメッセージの「０」ｓと反対の「１」ｓによって変調されるＰＲＮコードシーケンスの極性は、正反対となる。その結果、データメッセージエポックにわたる相関関係は、通常、互いに相殺する「０」ｓと反対の「１」ｓによって変調されるＰＲＮコードシーケンスの相関関係となる。レプリカ信号のＰＲＮコードシーケンスの極性を逆にして、ターゲット信号のＰＲＮコードシーケンスの極性を選択的に逆にすることにより、この可能性を回避し、これによって、相関関係の低下を抑えても良い。
【００１５】
ＮＡＶＳＴＡＲ　ＧＰＳと同様に、対象のスペクトラム拡散信号の擬似ランダムノイズ（ＰＲＮ）コードシーケンスは、循環的に繰り返されるデータメッセージによって変調される場合、特に、データメッセージが１つのメッセージから次のメッセージまで実質的に一定であることが分かっている場合、データビット情報の少なくとも幾つかは、先のデータメッセージに基づいて予測される。
【００１６】
また、誤っている可能性があるデータビット情報の識別時、最も起こり得るデータビットシーケンスを確立するために、例えばＶｉｔｅｒｂｉアルゴリズムを使用し、データビット情報の他の起こり得る構築に基づいて、代わりの相関関係がとられても良い。Ｖｉｔｅｒｂｉアルゴリズムは、１９６７年４月にＩＴ−１３（２）の２６０頁から２６９頁で発表された「漸近的に最適なデコーディングアルゴリズム及び重畳コードにおけるエラーバウンド、情報理論におけるＩＥＥＥトランザクション」　と題するＡ　Ｊ　Ｖｉｔｅｒｂｉによるオリジナルの研究論文および１９７１年１０月にＣＯＭ−１９（５）の７５１頁から７７２頁で発表された「重畳コード及びその通信技術における性能」と題するＡ　Ｊ　Ｖｉｔｅｒｂｉによるオリジナルの研究論文に関するウォーウィック研究報告書ＲＲ２３８で、ウォーウィック大学（英国のコベントリ）のコンピュータ・サイエンス学部のＭ　Ｓ　ＲｙａｎおよびＧ　Ｒ　Ｎｕｄｄによる「Ｖｉｔｅｒｂｉアルゴリズム」と題する研究論文において論議されている。
【００１７】
同様に、誤っている可能性があるデータビット情報の識別時、相関関係は、データエポックにわたる連続する相関関係から、データエポック間でタイミングがとられる個々の相関関係の係数の合計へと戻っても良い。
【００１８】
ターゲット信号がモバイルユニットによって受けられても良く、また、データメッセージ情報が基地局で与えられても良い。
【００１９】
そのような場合、基地局が送信機を備え、モバイルユニットが基地局と通信するようになっている受信機を備え、これにより、データメッセージ情報が基地局からモバイルユニットへと送信され、モバイルユニット内で相関関係がとられても良い。また、予測されたデータビット情報は、ターゲット信号のデータメッセージの対応する部分をモバイルユニットが受ける前に、モバイルユニットに送られても良い。
【００２０】
そのような実施形態において、基地局およびモバイルユニットはそれぞれ、互いに２方向通信を行なうようになっている受信機および送信機を備え、ターゲット信号がＧＰＳ信号であり、モバイルユニットの位置に関する位置情報がモバイルユニットから基地局へと送られても良い。特に、モバイルユニットが携帯電話であり、基地局は、携帯電話ネットワークで使用され且つ地理的な場所にそれぞれ位置されることにより１または複数の領域を構成する複数の重なり合う対応するサービスエリアを形成する複数の基地局のうちの１つであっても良い。
【００２１】
また、基地局が受信機を備え、モバイルユニットは、基地局と通信するようになっている受信機を備え、モバイルユニットによって受けられたターゲット信号が基地局に送られても良い。理想的には、基地局で相関関係がとられる。
【００２２】
基地局からデータメッセージ情報を与える代わりに、データメッセージ情報は、既にモバイルユニットで受信されて取得された他のスペクトラム拡散信号（以下、基準信号という）から与えられても良い。例えば、ターゲット信号の少なくとも１つのデータビットのエポックのタイミングに関するデータメッセージ情報は、基準信号の少なくとも１つのデータビットのエポックのタイミングから得られ、あるいは、このタイミングに近似していても良い。同様に、データメッセージ情報がターゲット信号のデータメッセージの少なくとも一部に関するデータビット情報を更に備えている場合、このデータメッセージ情報は、基準信号の対応するデータビット情報から得られ、あるいは、このデータビット情報に近似していても良い。また、弱い信号を取得する機会を更に高めるため、ターゲット信号の取得を試みている間の各コードチェック毎のドウェル時間は、基準信号を取得するために先に使用したドウェル時間よりも長くても良い。
【００２３】
ターゲット信号および基準信号の両方がＧＰＳスペクトラム拡散信号である場合、モバイルユニットからの距離が異なるＧＰＳ宇宙船（ＳＶ）ｓに起因する基準信号のデータビットのエポックのタイミングに比較してターゲット信号のデータビットのエポックのタイミングに影響を及ぼす遅れを、ＧＰＳ天文暦や暦データを使用して補償しても良い。
【００２４】
そのような方法は、３つ以下のＧＰＳ　ＳＶｓからの信号だけが比較的強く受信される場合であってＧＰＳ衛星から位置定めを得る場合に特に有用である（位置定めにおいては、通常、４つの信号が必要である）。比較的強い信号が取得されると、そのような信号から得られる情報を、弱いＧＰＳ信号の取得に役立てることができ、これによって、少なくとも４つのＧＰＳ衛星信号を取得して、位置定めを得ることができる。
【００２５】
また、本発明のそのような方法を実施するために、請求項２９ないし請求項４２に記載のモバイルユニット、請求項４３ないし請求項５０に記載の基地局、請求項５１ないし請求項５３の基地局とモバイルユニットとの組み合わせが提供される。
【００２６】
本発明の前述した特徴および他の特徴並びに利点は、添付図面を参照しながら、携帯電話ネットワークで使用できるＧＰＳ受信機を備える携帯電話の実施形態の以下の説明を一例として読むことによって明らかとなる。
【００２７】
図１には、従来の携帯電話ネットワーク１の地理的なレイアウトが概略的に示されている。ネットワークは複数の基地局ＢＳを備えており、そのうちの７つの基地局ＢＳ１からＢＳ７が図示されている。これらの基地局ＢＳ１からＢＳ７は、互いに離間した地理的位置に配置されている。これらの基地局のそれぞれは、任意の１つの場所またはサービスエリアにある通話システムコントローラ（ｔｒｕｎｋｉｎｇ　ｓｙｓｔｅｍ　ｃｏｎｔｒｏｌｌｅｒ）によって操作される無線送信機および受信機の全てを備えている。これらの基地局の各サービスエリアＳＡ１からＳＡ７は、クロスハッチングで示されるように重なり合っており、図示の全ての領域を共同で網羅している。システムは、各基地局ＢＳ１からＢＳ７への２方向通信リンクＣＬ１からＣＬ７がそれぞれ設けられたシステムコントローラＳＣを更に備えていても良い。これらの各通信リンクは、例えば、専用の陸上通信線であっても良い。また、システムコントローラＳＣは、公衆交換電話網（ＰＳＴＮ）に接続され、携帯電話ＭＳ１とそのネットワークへの受信契約者との間で通信を行なうことができるようになっていても良い。複数の携帯電話ＭＳが設けられており、そのうちの３つの携帯電話ＭＳ１，ＭＳ２，ＭＳ３が図示されている。各携帯電話は、領域全体にわたって、また、実際にはその外側でも、自由に移動することができる。
【００２８】
図２には、通信用の送信機（Ｃｏｍｍ　Ｔｘ）および受信機（Ｃｏｍｍ　Ｒｘ）２１を備えた携帯電話ＭＳ１が詳細に示されている。通信用の送信機（Ｃｏｍｍ　Ｔｘ）および受信機（Ｃｏｍｍ　Ｒｘ）２１は、通信アンテナ２０に接続されるとともに、通信マイクロプロセッサ（Ｃｏｍｍ　μｃ）２２によって制御されており、それが登録されている基地局ＢＳ１と通信することができる。基地局ＢＳ１と２方向通信するそのような電話の動作は、従来と同様であるため、ここでは更に詳しく説明しない。
【００２９】
携帯電話ＭＳ１は、従来の携帯電話に加え、ＧＰＳ受信機（ＧＰＳ　Ｒｘ）２４を備えている。ＧＰＳ受信機（ＧＰＳ　Ｒｘ）２４は、ＧＰＳアンテナ２３に接続されて、ＧＰＳマイクロプロセッサ（ＧＰＳ　μｃ）２５によって制御されており、周回軌道ＧＰＳ衛星から送られるＧＰＳスペクトラム拡散信号を受ける。作動時、ＧＰＳ受信機２４は、アンテナ２３を介してＮＡＶＳＴＡＲ　ＳＰＳ　ＧＰＳ信号を受け、この信号を一般的には受動帯域通過フィルタによって前処理することにより、帯域外ＲＦ混信、前置増幅、中間周波数（ＩＦ）への周波数逓降変換、アナログ／デジタル変換を最小限に抑えても良い。その結果として得られるデジタルＩＦ信号は、変調されたままであり、依然として、利用できる衛星からの情報の全てを含んでおり、ＧＰＳマイクロプロセッサ２５のメモリ内に供給される。その後、ＧＰＳ信号は、従来のナビゲーションアルゴリズムを使用して携帯電話の位置を決定することができる擬似範囲情報を得る目的で、取得されて探知されても良い。このようなＧＰＳ信号の取得・探知方法は良く知られており、例えばＧＰＳ原理および用途（編集者、カプラン）　ＩＳＢＮ　０−８９００６−７９３−７　Ａｒｔｅｃｈ　Ｈｏｕｓｅの第４章（ＧＰＳ衛星信号特性）および第５章（ＧＰＳ衛星信号の取得および探知）を参照のこと。ＧＰＳマイクロプロセッサ２５は、汎用マイクロプロセッサの形態で実施されても良く、あるいは、通信マイクロプロセッサ２２または特定用途向け集積回路（ＡＳＩＣ）に組み込まれたマイクロプロセッサと共通に実施されても良い。
【００３０】
図３には、携帯電話ネットワークの基地局ＢＳ１が概略的に示されている。そのような基地局に関連する従来の作動に加えて、基地局は、ＧＰＳアンテナ３４と、受信機３５と、マイクロプロセッサ３６とを更に備えており、これらが実質的に連続的に作動することにより、基地局は、最新のＧＰＳ衛星情報を常に有することができる。この情報には、現在対象となっている周回軌道衛生がどれであるかといった情報（そのような衛星は、マクロ電池においても、不明瞭は別にして、携帯電話及びそれに対応する基地局の両方に共通していると考えられる）や、暦を含むＧＰＳデータメッセージ、天文歴およびコード位相情報が含まれている。
【００３１】
周知のように、２方向通信リンクＣＬ１を介したシステムコントローラＳＣの制御下で、携帯電話ＭＳ１の使用者が緊急呼び出しを行なった場合、基地局ＢＳ１は、この情報を携帯電話に供給しても良い。この場合、対象のＰＲＮコードが占めるコード位相および狭い周波数帯域を通過するだけで済み、急速にコードを取得できるとともに、ＴＴＦＦを確保できる。その後、この情報は、携帯電話から基地に送り戻され、米国の公安応答ポイント（ＰＳＡＰ）と呼ばれる緊急サービスのオペレータに送られる。
【００３２】
図４には、擬似ランダムノイズ（ＰＲＮ）コードトラッキングループを実施する携帯電話ＭＳ１のＧＰＳマイクロプロセッサ２５が概略的に示されている。擬似ランダムノイズ（ＰＲＮ）コードトラッキングループにおいては、衛星ＰＲＮコードのアーリー（Ｅ（ｅａｒｌｙ））レプリカコード、プロンプト（Ｐ（ｐｒｏｍｐｔ））レプリカコード、レイト（Ｌ（ｌａｔｅ））レプリカコードが連続的に形成され、これらのコードは、受信機によって受けられる入力衛星ＰＲＮコードと比較される。ＧＰＳマイクロプロセッサ２５に記憶された信号サンプルから擬似範囲情報を検索するため、搬送波が除去されなければならない。これは、搬送波発生器４１を使用して同相（Ｉ）および直交位相（Ｑ）のレプリカ搬送波信号を形成する受信器によって行なわれる。搬送波位相ロックループ（ＰＬＬ）は、通常、受けた搬送波の周波数を正確に複製するために使用される。コード位相ロックを得るため、ＰＲＮシーケンスのアーリー（Ｅ）レプリカコード、プロンプト（Ｐ）レプリカコード、レイト（Ｌ）レプリカコードがコード発生器４２によって連続的に形成される。本発明によれば、ＰＲＮコードシーケンスの極性は、通信マイクロプロセッサ２２によってＧＰＳマイクロプロセッサ２５のコード発生器４２に供給される対応するデータメッセージビット（ＤＭＢｓ）の極性に応じて選択的に逆転される。その後、データメッセージビット変調レプリカコードは、Ｉ信号およびＱ信号と関連付けられ、一般に、多くのＰＲＮコードシーケンスおよび少なくとも１つのデータエポックにわたって積算器４３で積算することにより、３つの同相の相関成分（ＩＥ，ＩＬ，ＩＰ）と、３つの直交位相の相関成分（ＱＥ，ＱＬ，ＱＰ）とを形成する。相関成分の関数としてコード位相識別子が計算され、コード位相識別子が高い場合には、コード位相識別子に適用される閾値試験すなわち位相整合が成され、そうでない場合には、コード発生器は、位相シフトを用いて次の一連のレプリカを形成する。線形位相走査の結果、入力されるＰＲＮコードは、局所的に形成されたレプリカすなわちコード取得の位相と同じ位相になる。
【００３３】
ＧＰＳデータが基地局で受けられて携帯電話にリアルタイムで与えられると、データビット情報の供給遅れが生じる場合がある。実際には、これは大きな問題ではない。なぜなら、この遅れは、２０ｍｓのデータビット長さに比べると、数百万分の１秒程度という比較的短い状態を保つことができるためである。また、ビットの端の位置が分かってさえいれば、ビット期間の終端まで反転がなされる必要は全くない。実際には、数ビット期間の積算の結果は、個別に記憶されるとともに、データビットが分かっている場合にのみ組み合わされても良い。
【００３４】
また、コード位相識別子を与えるため、エポック同士の多くの個々の相関関係の係数（ｍｏｄｕｌｉ）が合計されても良く、これによって、そのような方法では、レプリカコードのデータメッセージビット変調が必要なくなる。
【００３５】
図５には、コード“０１００１０１１０１００”を表わす１２チップのＰＲＮコードを使用した本発明に係る相関方法が示されている。無論、実際のＧＰＳ　Ｃ／Ａ信号は、長さが１０２３チップのＰＲＮコードシーケンスを含んでいる。
【００３６】
図５において、ＲＰＲＮＣは、４つのレプリカＰＲＮコードシーケンスの繰り返しを、変調されていない形式で示している。これにより、４つのシーケンスはそれぞれ、通常、従来のＧＰＳマイクロプロセッサ内で形成される場合と同様に方向付けられる。また、ＤＭは、データビット幅がＰＲＮコードシーケンスよりも長（例えば８倍長く）く且つ（図示の例では）３番目のＰＲＮコードと４番目のＰＲＮコードとの間にデータビットエポックがはっきりと生じるデータメッセージを示している。ＧＰＳＰＲＮＣは、ＧＰＳ　ＳＶによって送られる４つのＰＲＮコードシーケンスを示している。この場合、最初の３つのＰＲＮコードシーケンスは、極性が「０」の同じ衛星データメッセージビットによって変調され（したがって、同一のまま）、４番目のＰＲＮコードシーケンスは、極性が「１」の次のデータメッセージビットによって変調され、したがって、４番目のＰＲＮコードシーケンスを反転する効果がある。また、ＭＲＰＲＮＣは、データメッセージによって変調され且つ本基地局からデータメッセージを受ける発明の携帯電話で形成されるレプリカＰＲＮコードシーケンスを示している。
【００３７】
従来においては、それぞれがデータ幅の約半分を補う個々の連続する相関関係が合計されて、相関出力が与えられ、この相関出力により、ＰＲＮコードが取得されたか否かが判断される。図５の例では、これが４つの４ＰＲＮコードシーケンスと同じであり、受けたＧＰＳ　ＰＲＮコード（ＧＰＳＰＲＮＣ）信号と従来のレプリカＰＲＮコード（ＲＰＲＮＣ）信号との間の４つのＰＲＮコードシーケンスにわたる連続的な相関関係において、相関出力は２である。これは、４番目のＰＲＮコードシーケンスの相関関係が−１であり、実際に、一致するＰＲＮコードシーケンスのうちの１つを相殺するからである。
【００３８】
本発明においては、データエポックと合計された係数との間においてのみ個々の連続する相関関係がとられる場合、相関出力は４となる。これは、第１の連続する相関関係からデータエポックに与えられる値３、すなわち、最初の３つのＰＲＮコードシーケンスにわたって与えられる値３と、４番目のＰＲＮコードシーケンスにわたって第２の連続する相関関係から与えられる係数−１とから得られる。
【００３９】
データエポックの起こり得るタイミングエラーを補償して、データビット幅の約９０％だけが相関付けられる場合であっても、すなわち、ＰＲＮコードシーケンスの４０％に相当するエポックの両側に５％の余白を残しても、相関出力は、２．６＋０．６＝３．２となる。
【００４０】
また、基地局によってデータメッセージが携帯電話に与えられる場合、連続的に相関関係をとって、受けたＧＰＳ　ＰＲＮコードと基地局から受けたデータメッセージによって変調されたレプリカＰＲＮコード（ＭＲＰＲＮＣ）とを比較することによって、データエポックを補っても良い。前述した例において、４つのＰＲＮコードシーケンスにわたる連続的な相関関係の場合、相関出力は４である。
【００４１】
無論、以上は、完全な相関関係が生じず、また、理論的利点の全てが得られるとは限らないことを前提としている。しかしながら、相関関係が向上し、特にコヒーレントに合計する能力が著しく向上する。
【００４２】
リアルタイムで、あるいは、入力されるスペクトラム拡散信号をサンプリングして、このサンプルを米国特許５６６３７３４号、５８４１３９６および米国特許５８７４９１４号におけるクラスナーの専門用語で「スナップショットを撮る」と称されるその後の処理のためにメモリ内に記憶することにより、モバイルユニットの信号を拡散させないようにしても良い。後者は、ＧＰＳ受信機で既に受信されて取得されたＧＰＳスペクトラム拡散信号からデータメッセージ情報が与えられ、探知はおろか取得することが通常困難である別の弱いＧＰＳ信号がターゲット信号（対象の信号）である場合に、ＧＰＳ受信機において特に便利である。
【００４３】
なお、このような場合において注意すべき点は、異なる　ＮＡＶＳＴＡＲ　ＧＰＳ衛星によって送られたデータメッセージが僅かに異なっているという点である。これは、メッセージの一部が個々の、例えばクロック修正項や天文歴のようなＳＶパラメータに関与しているためである。しかしながら、幸いにも、サブフレーム１から３のデータの少なくとも最初の１．２ｓと、ＮＡＶＳＴＡＲ　ＧＰＳデータメッセージのサブフレーム４，５の全てとが、データメッセージの５０％を越える各ＳＶに共通しており、無論、それらが同期される。したがって、連続する６つの１ｓサンプルをとることにより、未加工のＧＰＳデータを記録することができる。すなわち、各衛星がデータメッセージの同じ部分を中継していることが分かっている時に、スナップショットを撮ることができる。
【００４４】
同様に、正確なクロックがＧＰＳ受信機に利用可能である場合、現在の時間からＧＰＳゼロ時間を差し引くことによって、現在どのサブフレームがＧＰＳ　ＳＶｓによって送信されるかを判断することができ、したがって、スナップショットを撮ることができる。ターゲット信号の少なくとも１つのデータビットのエポックのタイミングに関するデータメッセージ情報および／またはデータメッセージの少なくとも一部に関するデータメッセージ情報が同じ衛星から供給されても良い。例えば、その後に失われた予め受けられて取得されたＧＰＳ信号は、「同一信号」の再取得を試みている間、基準として機能し、ターゲット信号は、基準信号の次の信号送信となり、３０ｓのＮＡＶＳＴＡＲ　ＧＰＳデータメッセージ時間の整数倍だけ離れていることが好ましい。これは、受けた信号強度が変動する場合、例えば、ある瞬間に所定のＳＶを明瞭に観察できる都会の環境で移動しているＳＶが、その後の瞬間に見えなくなって、そのＳＶからの信号が非常に弱くなるような状況において特に有用である。
【００４５】
また、現在の民間の信号および同じデータメッセージ構造を有するものとして認識される提案された別個の民間信号に関しては、一方が他方のための基準信号として機能しても良い。
【００４６】
更に、ＮＡＶＳＴＡＲ　ＧＰＳデータメッセージ情報は、ＡＲＩＮＣ　ＮＡＶＳＴＡＲスペースセグメント／ユーザインタフェース・ドキュメントバージョンＩＲＮ−２００Ｃ−００２で見出すことができる。無論、メッセージ形式は異なっているが、グロナス（ＧＬＯＮＡＳＳ）およびガリレオ（Ｇａｌｉｌｅｏ）等の他の衛星ナビゲーションシステムに同じ原理が適用され、これにより、ＧＰＳに関して説明したとほぼ同じように、対応するデータメッセージの特定のビットシーケンスが繰り返される可能性に基づいて、また、それらのデータメッセージの同じビットシーケンスを複数の衛星が送信する可能性に基づいて、サンプリング方法が決定される。
【００４７】
前述したように、ターゲット信号は、モバイルユニットによって選択的に受けられるとともに、相関付けのために基地局に再び送信される。そのようなＧＰＳデータのアップロードおよび中央演算処理は、参照することによって本願に組み込まれる米国特許第５１１９１０２号から知られている。このような処理では、再送信された信号をタイムスタンプして、それをデータエポックタイミング情報に関連付けることが必要な場合がある。
【００４８】
更に、アーリー・レイト相関方法に代えて、特に高速フーリエ変換を含む高速重畳法を使用して、ＰＲＮコードを取得しても良い。そのような重畳法は、ＩＥＥＥ　１９９１　国際航空宇宙・エレクトロニクス会議ＮＡＥＣＯＮ１９９１、第１巻、９８頁から１０５頁で、“現代のＤＳＰマイクロプロセッサを使用した直接シーケンス拡散コードのＦＦＴ処理”と題されたＲｏｂｅｒｔ　Ｇ　Ｄａｖｅｎｐｏｒｔによる研究論文に開示されており、また、米国特許第５，６６３，７３４号に開示されている。本発明の方法は、そのような重畳法にも同様に適用できる。
【００４９】
データメッセージを供給することに限って言えば、受けたＰＲＮコード信号と相関される変調されたレプリカＰＲＮが関与しており、ＮＡＶＳＴＡＲ　ＧＰＳがＢＰＳＫ変調のみに関連しているが、本発明は、位相・周波数変調等の他の変調形式にも同様に適用される。
【００５０】
本発明の開示内容を読めば、他の変形例が当業者にとって明らかとなり、また、他の変形例は、ＧＰＳ受信機及びその構成部品の設計、製造、使用において既に知られ且つここに既に開示された特徴の代わりに或はその特徴に加えて使用されても良い他の特徴を含んでいても良い。この出願では、特徴の特定の組み合わせに対して特許請求の範囲が定められているが、本出願の開示範囲には、それがここにクレームされている発明と同じ発明であろうがなかろうが、また、それが本発明と同じ任意の問題または全ての問題を解決しようとなかろうと、任意の新規な特徴や、明示的に或は暗示的にここに開示された特徴の任意の新規な組み合わせも含まれていると理解すべきである。そのため、出願人は、本出願の遂行中または本出願から得られる任意の更なる出願の遂行中に、そのような特徴および／またはそのような特徴の組み合わせに対して新たな特許請求の範囲を定めることができることを告示する
【図面の簡単な説明】
【図１】
携帯電話ネットワークの地理的なレイアウトを概略的に示している。
【図２】
図１の携帯電話ＭＳ１の詳細を概略的に示している。
【図３】
図１の基地局ＢＳ１の詳細を概略的に示している。
【図４】
図２の携帯電話ＭＳ１のＧＰＳマイクロプロセッサでのアーリー・レイト相関によるコード取得の詳細を概略的に示している。
【図５】
本発明に係る方法によるコード相関関係を示している。
【符号の説明】
ＢＳ１〜ＢＳ７　基地局
ＣＬ１〜ＣＬ７　２方向通信リンク
ＳＣ　システムコントローラ
ＭＳ１〜ＭＳ３　携帯電話
ＳＡ１〜ＳＡ７　サービスエリア
２０　通信アンテナ
２１、３１　受信機
２２、３２　通信マイクロプロセッサ
２３、３４　アンテナ
２４、３５　ＧＰＳ受信機
２５、３６　ＧＰＳマイクロプロセッサ
４１　搬送波発生器
４２　コード発生器
４３　積算器
【国際公開パンフレット】
2004512703.tif 000003
2004512703.tif 000004
2004512703.tif 000005
2004512703.tif 000006
2004512703.tif 000007
2004512703.tif 000008
2004512703.tif 000009
2004512703.tif 000010
2004512703.tif 000011
2004512703.tif 000012
2004512703.tif 000013
2004512703.tif 000014
2004512703.tif 000015
2004512703.tif 000016
2004512703.tif 000017
2004512703.tif 000018
2004512703.tif 000019
2004512703.tif 000020
2004512703.tif 000021
2004512703.tif 000022
2004512703.tif 000023
2004512703.tif 000024
2004512703.tif 000025
2004512703.tif 000026
2004512703.tif 000027
2004512703.tif 000028
2004512703.tif 000029
【国際調査報告】
2004512703.tif 000030
2004512703.tif 000031
2004512703.tif 000032